(57)【特許請求の範囲】
【請求項１】
光ファイバ素線と、内部に前記光ファイバ素線が遊挿されるチューブとをそれぞれ有する複数の光ファイバ心線と、前記複数の光ファイバ心線の一端部に取り付けられる多心光コネクタと、前記複数の光ファイバ心線の他端部にそれぞれ取り付けられる複数の単心光コネクタとを備えた光ファイバ付光コネクタであって、
前記チューブの内部には、前記光ファイバ素線が前記多心コネクタから前記単心コネクタの間の全長にわたって遊挿されており、
前記多心光コネクタは、
前記複数の光ファイバ心線の前記光ファイバ素線のそれぞれの端部が固定されるフェルールと、
前記フェルールを前記チューブに対して移動可能に内部に収容するとともに、前記フェルールに前記光ファイバ素線が固定された前記複数の光ファイバ心線が、一括して挿通する挿通口を有するコネクタハウジングと、
前記挿通口を挿通する前記複数の光ファイバ心線を構成する前記チューブの束を、前記コネクタハウジングの前記挿通口の内面に固定するチューブ固定部と、
を備え、
前記複数の光ファイバ心線のそれぞれは、前記コネクタハウジングの内部であって前記チューブ固定部よりも前記フェルール側で前記光ファイバ素線と前記チューブとを固定する素線固定部を有する、
ことを特徴とする光ファイバ付光コネクタ。
【請求項２】
前記チューブ固定部は、前記コネクタハウジングの単心光コネクタ側の端部に形成されることを特徴とする請求項１に記載の光ファイバ付光コネクタ。
【請求項３】
前記素線固定部は、前記チューブの端部に形成されることを特徴とする請求項１又は２に記載の光ファイバ付光コネクタ。
【請求項４】
光ファイバ素線と、内部に前記光ファイバ素線が遊挿されるチューブとをそれぞれ有する複数の光ファイバ心線を用意し、
前記複数の光ファイバ心線の一端部のそれぞれの光ファイバ素線を多心光コネクタのフェルールに固定し、
前記光ファイバ素線が固定された前記フェルールから所定の距離だけ離された位置から所定の長さにわたって、前記それぞれの光ファイバ素線上に第１の接着材を塗布し、
前記第１の接着材が塗布された前記光ファイバ素線の領域を覆うまで前記複数の光ファイバ心線のそれぞれのチューブを前記フェルールに向かって移動させ、
前記チューブを移動させた後、前記第１の接着材を硬化させて前記光ファイバ素線と前記チューブとを固定する素線固定部を形成し、
前記フェルールを内部に収容するように前記多心光コネクタのコネクタハウジングを組み立て、
前記素線固定部よりも前記フェルールから離れた位置で前記コネクタハウジングと前記チューブとの間に第２の接着材を充填し、
前記コネクタハウジングと前記チューブとの間に充填された前記第２の接着材を硬化させて前記複数の光ファイバ心線の前記チューブを前記コネクタハウジングに固定するチューブ固定部を形成し、
前記複数の光ファイバ心線の他端部にそれぞれ単心光コネクタを取り付ける
ことを特徴とする光ファイバ付光コネクタの製造方法。
【請求項５】
前記複数の光ファイバ心線のそれぞれのチューブを前記フェルールに向かって移動させる前に、前記複数の光ファイバ心線のチューブ同士を第３の接着材で固定することを特徴とする請求項４に記載の光ファイバ付光コネクタの製造方法。
【発明の詳細な説明】
【技術分野】
【０００１】
本発明は、光ファイバ付光コネクタ及びその製造方法に係り、特に複数の光ファイバ心線が分岐される多心光コネクタを含む光ファイバ付光コネクタ及びその製造方法に関するものである。
【背景技術】
【０００２】
従来から、複数の光ファイバ心線が多心光コネクタから分岐され、分岐した光ファイバ心線の端部にそれぞれ単心光コネクタが接続された光ファイバ付光コネクタ、いわゆるファンアウトコードが知られている（例えば、特許文献１）。図１は、このような従来の光ファイバ付光コネクタの構造を模式的に示す図である。図１に示すように、従来の光ファイバ付光コネクタは、多心光コネクタ５１０と、多心光コネクタ５１０から分岐する複数の光ファイバ心線５２０と、それぞれの光ファイバ心線５２０の端部に取り付けられた単心光コネクタ５３０とを有している。
【０００３】
それぞれの光ファイバ心線５２０は、チューブ５２１と、チューブ５２１内に収容された光ファイバ素線５２２とを含んでいる。これらの光ファイバ素線５２２はチューブ５２１の内部に遊びを持って収容されている。チューブ５２１及び光ファイバ素線５２２の単心光コネクタ５３０側の端部は、いずれも単心光コネクタ５３０内のフェルール５３１に固定される。また、チューブ５２１の多心光コネクタ５１０側の端部は多心光コネクタ５１０のコネクタハウジング５１１に固定され、光ファイバ素線５２２の多心光コネクタ５１０側の端部は多心光コネクタ５１０内のフェルール５１２に固定される。
【０００４】
このような構成の光ファイバ付光コネクタを環境試験などのために低温下に置くと、チューブ５２１及び光ファイバ素線５２２がともに収縮するが、光ファイバ素線５２２よりもチューブ５２１の方が収縮率（熱膨張係数）の高い材料で形成されているため、チューブ５２１が光ファイバ素線５２２に対して相対的に多く収縮する。その結果、図２に示すように、多心光コネクタ５１０の内部で光ファイバ素線５２２がチューブ５２１から相対的に飛び出して多心光コネクタ５１０の内部で屈曲してしまうこととなる。このように光ファイバ素線５２２が屈曲してしまうと、曲げ損失によって光ファイバ素線５２２の光学特性が悪化してしまう。光ファイバ心線５２０が長くなる（例えば５０ｃｍを超える長さ）とチューブ５２１の収縮量も増加するので、このような問題がより顕著になってくる。
【先行技術文献】
【特許文献】
【０００５】
【特許文献１】特許第３８３５６７０号明細書
【発明の概要】
【発明が解決しようとする課題】
【０００６】
本発明は、このような従来技術の問題点に鑑みてなされたもので、低温の環境下に置かれた場合や光ファイバ心線が多心光コネクタ側に押し込まれた場合であっても、多心光コネクタ内で光ファイバ素線が屈曲しにくく、良好な光学特性を維持することができる光ファイバ付光コネクタを提供することを第１の目的とする。
【０００７】
また、本発明は、そのような光ファイバ付光コネクタを簡単な工程で製造することができる光ファイバ付光コネクタの製造方法を提供することを第２の目的とする。
【課題を解決するための手段】
【０００８】
本発明の第１の態様によれば、低温の環境下に置かれた場合や光ファイバ心線が多心光コネクタ側に押し込まれた場合であっても、多心光コネクタ内で光ファイバ素線が屈曲しにくく、良好な光学特性を維持することができる光ファイバ付光コネクタが提供される。この光ファイバ付光コネクタは、光ファイバ素線と、内部に上記光ファイバ素線が遊挿されるチューブとをそれぞれ有する複数の光ファイバ心線と、上記複数の光ファイバ心線の一端部に取り付けられる多心光コネクタと、上記複数の光ファイバ心線の他端部にそれぞれ取り付けられる複数の単心光コネクタとを備えている。上記チューブの内部には、上記光ファイバ素線が上記多心コネクタから上記単心コネクタの間の全長にわたって遊挿される。上記多心光コネクタは、上記複数の光ファイバ心線の上記光ファイバ素線のそれぞれの端部が固定されるフェルールと、上記フェルールを上記チューブに対して移動可能に内部に収容するとともに、上記フェルールに上記光ファイバ素線が固定された上記複数の光ファイバ心線が、一括して挿通する挿通口を有するコネクタハウジングと、上記挿通口を挿通する上記複数の光ファイバ心線を構成する上記チューブの束を、上記コネクタハウジングの上記挿通口の内面に固定するチューブ固定部とを備えている。上記複数の光ファイバ心線のそれぞれは、上記コネクタハウジングの内部であって上記チューブ固定部よりも上記フェルール側で上記光ファイバ素線と上記チューブとを固定する素線固定部を有している。
【０００９】
このような構成によれば、チューブ固定部により光ファイバ心線のチューブがチューブハウジングに固定されているため、例えば多心光コネクタを相手方プラグに接続する際などに、光ファイバ心線に軸方向の力が加わった場合であっても、多心光コネクタの内部に光ファイバ心線が押し込まれることが防止される。したがって、光ファイバ心線内の光ファイバ素線が多心光コネクタの内部で屈曲することを防止することができ、光ファイバ素線の光学特性の悪化を防止することができる。また、素線固定部により光ファイバ心線のそれぞれの光ファイバ素線とチューブとがチューブ固定部よりもフェルール側で固定されているため、光ファイバ付光コネクタが環境試験などのために低温下に置かれてチューブが収縮したとしても、素線固定部からフェルール側に光ファイバ素線が飛び出してくることを防止することができる。したがって、光ファイバ心線内の光ファイバ素線が多心光コネクタの内部で屈曲することを防止することができ、光ファイバ素線の光学特性の悪化を防止することができる。
【００１０】
多心光コネクタの根元部分で光ファイバ心線に作用する力を軽減する観点から、上記チューブ固定部は、上記コネクタハウジングの単心光コネクタ側の端部に形成されていることが好ましい。また、上記素線固定部は、上記チューブの端部に形成されることが好ましい。
【００１１】
本発明の第２の態様によれば、上述したような光ファイバ付光コネクタを簡単な工程で製造することができる光ファイバ付光コネクタの製造方法が提供される。この方法では、光ファイバ素線と、内部に上記光ファイバ素線が遊挿されるチューブとをそれぞれ有する複数の光ファイバ心線を用意する。上記複数の光ファイバ心線の一端部のそれぞれの光ファイバ素線を多心光コネクタのフェルールに固定し、上記光ファイバ素線が固定された上記フェルールから所定の距離だけ離された位置から所定の長さにわたって、上記それぞれの光ファイバ素線上に第１の接着材を塗布する。上記第１の接着材が塗布された上記光ファイバ素線の領域を覆うまで上記複数の光ファイバ心線のそれぞれのチューブを上記フェルールに向かって移動させる。上記チューブを移動させた後、上記第１の接着材を硬化させて上記光ファイバ素線と上記チューブとを固定する素線固定部を形成し、上記フェルールを内部に収容するように上記多心光コネクタのコネクタハウジングを組み立てる。上記素線固定部よりも上記フェルールから離れた位置で上記コネクタハウジングと上記チューブとの間に第２の接着材を充填し、上記コネクタハウジングと上記チューブとの間に充填された上記第２の接着材を硬化させて上記複数の光ファイバ心線の上記チューブを上記コネクタハウジングに固定するチューブ固定部を形成する。上記複数の光ファイバ心線の他端部にそれぞれ単心光コネクタを取り付ける。
【００１２】
このような方法によれば、上述したような良好な光学特性を維持することができる光ファイバ付光コネクタを簡単な工程で製造することができる。
【００１３】
また、上記複数の光ファイバ心線のそれぞれのチューブを上記フェルールに向かって移動させる前に、上記複数の光ファイバ心線のチューブ同士を第３の接着材で固定することが好ましい。このように複数のチューブ同士を一体化することにより、複数のチューブをまとめてフェルールに向かって移動させて固定することができる。したがって、複数のチューブの移動及び固定のための工数を減らすことができる。
【発明の効果】
【００１４】
本発明によれば、チューブ固定部により光ファイバ心線のチューブがチューブハウジングに固定されているため、例えば多心光コネクタを相手方プラグに接続する際などに、光ファイバ心線に軸方向の力が加わった場合であっても、多心光コネクタの内部に光ファイバ心線が押し込まれることが防止される。したがって、光ファイバ心線内の光ファイバ素線が多心光コネクタの内部で屈曲することを防止することができ、光ファイバ素線の光学特性の悪化を防止することができる。また、素線固定部により光ファイバ心線のそれぞれの光ファイバ素線とチューブとがチューブ固定部よりもフェルール側で固定されているため、光ファイバ付光コネクタが環境試験などのために低温下に置かれてチューブが収縮したとしても、素線固定部からフェルール側に光ファイバ素線が飛び出してくることを防止することができる。したがって、光ファイバ心線内の光ファイバ素線が多心光コネクタの内部で屈曲することを防止することができ、光ファイバ素線の光学特性の悪化を防止することができる。
【図面の簡単な説明】
【００１５】
【図１】従来の光ファイバ付光コネクタの構造を模式的に示す図である。
【図２】図１に示す従来の光ファイバ付光コネクタの問題点を説明するための図である。
【図３】本発明の一実施形態における光ファイバ付光コネクタを示す斜視図である。
【図４】図３に示す光ファイバ付光コネクタにおける光ファイバ心線を軸に垂直な面で切断したときの断面図である。
【図５】図３に示す光ファイバ付光コネクタにおける多心光コネクタを示す平面図である。
【図６】図５の正面図である。
【図７】図６のＡ−Ａ線断面図である。
【図８Ａ】図３に示す光ファイバ付光コネクタを製造する工程を示す断面図である。
【図８Ｂ】図３に示す光ファイバ付光コネクタを製造する工程を示す断面図である。
【図８Ｃ】図３に示す光ファイバ付光コネクタを製造する工程を示す断面図である。
【図８Ｄ】図３に示す光ファイバ付光コネクタを製造する工程を示す断面図である。
【図８Ｅ】図３に示す光ファイバ付光コネクタを製造する工程を示す断面図である。
【図８Ｆ】図３に示す光ファイバ付光コネクタを製造する工程を示す断面図である。
【発明を実施するための形態】
【００１６】
以下、本発明に係る光ファイバ付光コネクタの実施形態について図３から図８Ｆを参照して詳細に説明する。なお、図３から図８Ｆにおいて、同一又は相当する構成要素には、同一の符号を付して重複した説明を省略する。また、図３から図８Ｆにおいては、各構成要素の縮尺や寸法が誇張されて示されている場合や一部の構成要素が省略されている場合がある。
【００１７】
図３は、本発明の一実施形態における光ファイバ付光コネクタ１を示す斜視図である。図３に示すように、光ファイバ付光コネクタ１は、複数の光ファイバ心線１０と、それぞれの光ファイバ心線１０の一方の端部に取り付けられた単心光コネクタ２０と、複数の光ファイバ心線１０の他方の端部に取り付けられた多心光コネクタ３０とを備えている。複数の光ファイバ心線１０は、多心光コネクタ３０の根元で束ねられ、多心光コネクタ３０から単心光コネクタ２０に向かって分岐している。なお、本実施形態における光ファイバ付光コネクタ１は、１６本の光ファイバ心線１０を含んでいるが、光ファイバ心線１０の数はこれに限られるものではない。また、単心光コネクタ２０や多心光コネクタ３０の形状や種類は図示のものに限られるものではない。
【００１８】
図４は、光ファイバ心線１０を軸に垂直な面で切断したときの断面図である。図４に示すように、それぞれの光ファイバ心線１０は、光ファイバ素線１２と、内部に光ファイバ素線１２を収容するチューブ１４とを有している。チューブ１４の内径は光ファイバ素線１２の外径よりも大きくなっており、光ファイバ素線１２の外周面１２Ａとチューブ１４の内周面１４Ａとの間には空間１６が形成されている。このように、光ファイバ素線１２は、チューブ１４の内部に遊びを持って挿入されており、これにより光ファイバ素線１２がチューブ１４内で曲がったり、移動したりすることができるようになっている。例えば、チューブ１４として外径約０．９ｍｍ、内径約０．５ｍｍのチューブを用いることができ、光ファイバ素線１２としては外径０．２５ｍｍの光ファイバ素線を用いることができる。
【００１９】
図５は多心光コネクタ３０を示す平面図、図６は正面図、図７は図６のＡ−Ａ線断面図である。図５から図７に示すように、多心光コネクタ３０は、光ファイバ心線１０中の光ファイバ素線１２を固定するフェルール３１と、フェルール３１を内部に収容する前方ハウジング３２と、前方ハウジング３２に係合する後方ハウジング３３と、後方ハウジング３３の後端に取り付けられたチューブハウジング３４と、前方ハウジング３２の外周を覆うカップリング３５と、後方ハウジング３３の後端部及びチューブハウジング３４を覆う保護ブーツ３６とを備えている。保護ブーツ３６は、例えばゴムなどの弾性材料から形成されており、極端な曲げから光ファイバ心線１０を保護している。なお、図７においては、理解を容易にするために、光ファイバ心線１０の数を間引いて図示している。
【００２０】
フェルール３１は、例えばピン嵌合式のＭＴフェルールである。図７に示すように、フェルール３１は、外側に突出するフランジ部３１Ａを有しており、このフランジ部３１Ａは前方ハウジング３２の凸部３２Ａに係合するようになっている。また、後方ハウジング３３は、外側に突出する弾性爪３３Ａを有しており、この弾性爪３３Ａが前方ハウジング３２に形成された係合孔３２Ｂに係合することにより後方ハウジング３３が前方ハウジング３２に固定されるようになっている。
【００２１】
前方ハウジング３２と後方ハウジング３３との間にはスプリング３７が配置されており、このスプリング３７によりフェルール３１が前方に付勢される。また、前方ハウジング３２とカップリング３５との間にもスプリング３８が配置されており、このスプリング３８によりカップリング３５が前方に付勢される。
【００２２】
チューブハウジング３４は、弾性を有する材料から形成されることが好ましく、このようなチューブハウジング３４として、例えば熱収縮により対象物に密着して被覆する熱収縮チューブを用いることができる。本実施形態においては、上述したように、前方ハウジング３２と後方ハウジング３３とが係合し、後方ハウジング３３にチューブハウジング３４が取り付けられているため、前方ハウジング３２、後方ハウジング３３、及びチューブハウジング３４をまとめて、フェルール３１を内部に収容するコネクタハウジングと考えることができる。
【００２３】
図７に示すように、複数の光ファイバ心線１０の光ファイバ素線１２は、多心光コネクタ３０のチューブハウジング３４、後方ハウジング３３、及び前方ハウジング３２の内側を通ってフェルール３１まで延びている。本実施形態では、光ファイバ心線１０のチューブ１４はチューブハウジング３４の中程まで延びている。これらのチューブ１４は、その端面が軸方向で揃うように位置合わせされていることが好ましい。例えば、チューブ１４は、フェルール３１の端面からチューブ１４の端面までの距離Ｌ1が３０ｍｍとなるように位置決めされる。この距離Ｌ1は、多心光コネクタ３０の許容曲げ半径を考慮して決定される。
【００２４】
また、図７に示すように、コネクタハウジングの後端部、すなわちチューブハウジング３４の後端部には、光ファイバ心線１０のチューブ１４をチューブハウジング３４に固定するチューブ固定部４０が形成されている。このチューブ固定部４０は例えば接着材などにより形成される。このように、光ファイバ心線１０のチューブ１４はチューブ固定部４０によりチューブハウジング３４（コネクタハウジング）に固定されているため、例えば多心光コネクタ３０を相手方プラグに接続する際などに、光ファイバ心線１０に軸方向の力が加わった場合であっても、多心光コネクタ３０の内部に光ファイバ心線１０が押し込まれることが防止される。したがって、光ファイバ心線１０内の光ファイバ素線１２が多心光コネクタ３０の内部で屈曲することを防止することができ、光ファイバ素線１２の光学特性の悪化を防止することができる。
【００２５】
また、上述したようにチューブハウジング３４内で位置合わせされたチューブ１４の端部には、チューブ１４とその内部の光ファイバ素線１２とを固定する素線固定部５０が形成されている。この素線固定部５０は、上述したチューブ固定部４０よりもフェルール３１側に位置している。このような素線固定部５０は例えば接着材などにより形成される。このように、素線固定部５０により光ファイバ心線１０のそれぞれの光ファイバ素線１２とチューブ１４とがチューブ固定部４０よりもフェルール３１側で固定されているため、光ファイバ付光コネクタ１が環境試験などのために低温下に置かれてチューブ１４が収縮したとしても、素線固定部５０からフェルール３１側に光ファイバ素線１２が飛び出してくることを防止することができる。したがって、光ファイバ心線１０内の光ファイバ素線１２が多心光コネクタ３０の内部で屈曲することを防止することができ、光ファイバ素線１２の光学特性の悪化を防止することができる。なお、このような効果を奏するためには、素線固定部５０は軸方向に沿ってある程度の長さを有することが好ましく、例えば素線固定部５０の軸方向に沿った長さＬ2を１０ｍｍ以上にすることが好ましい。
【００２６】
図３に示すように、複数の光ファイバ心線１０は多心光コネクタ３０から分岐して延び、それぞれの光ファイバ心線１０の端部には単心光コネクタ２０が取り付けられている。それぞれの単心光コネクタ２０の内部では、光ファイバ心線１０の光ファイバ素線１２とチューブ１４とがともにフェルール（図示せず）に固定される。この光ファイバ心線１０と単心光コネクタ２０との固定に関しては従来から公知の方法を用いることができる。
【００２７】
次に、上述した構成の光ファイバ付光コネクタの製造方法について図８Ａから図８Ｆを参照して説明する。まず、図８Ａに示すように、複数の光ファイバ心線１０のそれぞれの光ファイバ素線１２をフェルール３１に取り付け、フェルール３１に固定する。次に、図８Ｂに示すように、フェルール３１から所定の距離（図７に示すＬ1）だけ離れた位置から所定の長さ（図７に示すＬ2）にわたって光ファイバ素線１２上に第１の接着材５１を塗布する。
【００２８】
そして、図８Ｃに示すように、光ファイバ心線１０のそれぞれのチューブ１４をフェルール３１に向かって移動させる。このとき、第１の接着材５１が塗布された光ファイバ素線１２の領域がチューブ１４で覆われるまでチューブ１４を移動させる。ここで、図８Ｃに示すように、第１の接着材５１がチューブ１４の端面まで充填されるようにチューブ１４を位置決めすることが好ましい。チューブ１４の移動が完了した後、第１の接着材５１を硬化させることにより素線固定部５０を形成し、光ファイバ素線１２とチューブ１４とを固定する。なお、この第１の接着材５１としては、例えばセメダイン株式会社から「ハイスーパー５」として販売されているエポキシ系接着材などを用いることができ、硬度の高い接着材を用いることが好ましい。
【００２９】
次に、図８Ｄに示すように、多心光コネクタ３０を組み立てる。すなわち、多心光コネクタ３０のスプリング３７と後方ハウジング３３をフェルール３１側に移動させるとともに、これらの部材とフェルール３１を挟んで反対側から前方ハウジング３２を挿入する。フェルール３１のフランジ部３１Ａと前方ハウジング３２の凸部３２Ａとの係合及び後方ハウジング３３の弾性爪３３Ａと前方ハウジング３２の係合孔３２Ｂとの係合によってフェルール３１、前方ハウジング３２、及び後方ハウジング３３が一体となる。さらに、スプリング３８及びカップリング３５を前方ハウジング３２の周囲に取り付け、チューブハウジング３４をフェルール３１に向かって移動させて後方ハウジング３３の端部に取り付ける。
【００３０】
次に、図８Ｅに示すように、チューブハウジング３４の後端部とチューブ１４との間に第２の接着材４１を充填する。この第２の接着材４１を充填する位置は、チューブハウジング３４の後端部でなくてもよいが、素線固定部５０よりもフェルール３１から離れた位置である必要がある。多心光コネクタ３０の根元部分で光ファイバ心線１０に作用する力を軽減する観点からは、チューブハウジング３４の後端部に第２の接着材４１を充填することが好ましい。
【００３１】
その後、第２の接着材４１を硬化させることによりチューブ固定部４０を形成し、光ファイバ心線１０のチューブ１４をチューブハウジング３４（コネクタハウジング）に固定する。なお、この第２の接着材４１としては、例えばセメダイン株式会社から「スーパーＸ」として販売されている接着材などの比較的弾性のある接着材を用いることが好ましい。このように弾性のある接着材でチューブ固定部４０を形成することにより、光ファイバ心線１０が曲がった際にチューブ固定部４０も同様に曲がるため、光ファイバ素線１２の内部に撓みが生じにくく、光ファイバ素線１２の断線を防止することができる。
【００３２】
次に、図８Ｆに示すように、保護ブーツ３６をフェルール３１側に移動させ、チューブハウジング３４及び後方ハウジング３３の後端部が保護ブーツ３６で覆われるように保護ブーツ３６を後方ハウジング３３の後端部に取り付ける。そして、光ファイバ心線１０の他端側には従来から公知の方法を用いて単心光コネクタ２０がそれぞれ取り付けられる。以上の工程により、図３に示すような光ファイバ付光コネクタ１が完成する。
【００３３】
ここで、光ファイバ心線１０のそれぞれのチューブ１４をフェルール３１に向かって移動させる前に、複数の光ファイバ心線１０のチューブ１４の端部を互いに揃え、この状態でチューブ１４同士を接着材（第３の接着材）などにより固定して一体化してもよい。このように複数のチューブ１４を一体化することにより、複数のチューブ１４をまとめてフェルール３１に向かって移動させて固定することができる。したがって、複数のチューブ１４の移動及び固定のための工数を減らすことができる。
【００３４】
これまで本発明の好ましい実施形態について説明したが、本発明は上述の実施形態に限定されず、その技術的思想の範囲内において種々異なる形態にて実施されてよいことは言うまでもない。
【符号の説明】
【００３５】
１    光ファイバ付光コネクタ
１０    光ファイバ心線
１２    光ファイバ素線
１４    チューブ
１６    空間
２０    単心光コネクタ
３０    多心光コネクタ
３１    フェルール
３２    前方ハウジング
３３    後方ハウジング
３４    チューブハウジング
３５    カップリング
３６    保護ブーツ
３７    スプリング
３８    スプリング
４０    チューブ固定部
４１    第２の接着材
５０    素線固定部
５１    第１の接着材
【図１】
0006307539.tif 000002
【図２】
0006307539.tif 000003
【図３】
0006307539.tif 000004
【図４】
0006307539.tif 000005
【図５】
0006307539.tif 000006
【図６】
0006307539.tif 000007
【図７】
0006307539.tif 000008
【図８Ａ】
0006307539.tif 000009
【図８Ｂ】
0006307539.tif 000010
【図８Ｃ】
0006307539.tif 000011
【図８Ｄ】
0006307539.tif 000012
【図８Ｅ】
0006307539.tif 000013
【図８Ｆ】
0006307539.tif 000014